(57)【要約】【課題】レンズ駆動装置におけるレンズ保持部材とコイルとの間の接着性を高めること。【解決手段】レンズ駆動装置１０１は、ヨーク４と、レンズ保持部材２と、コイル３と、磁石５と、板ばね６と、を備えている。ヨーク４は、４つの側板部４Ａと４つの角部４Ｅとを含む。レンズ保持部材２は、４つの角部４Ｅに対向する４つの角対向部１２Ｃと、４つの側板部４Ａに対向する４つの側板対向部１２Ｓと、を有する。４つの角対向部１２Ｃのそれぞれは、レンズ保持部材２の筒状部１２から外側へ突出する一対の突出部ＰＴを含む。コイル３は、４つの角対向部１２Ｃと４つの側板対向部１２Ｓとを囲むように配置される。接着剤は、突出部ＰＴの１つと側板対向部１２Ｓの１つとコイル３とで囲まれた領域ＳＰに充填される。【選択図】図７
2020052238.tif 000002
【特許請求の範囲】
【請求項１】
４つの側板部及び４つの角部を含む外周壁部と天井部とを有するカバー部材と、
前記カバー部材に収容され、レンズ体を保持可能なレンズ保持部材と、
前記レンズ保持部材に固定されたコイルと、
前記コイルに対向する磁石と、
前記レンズ保持部材を光軸方向へ移動可能に支持する支持部材と、
を備えたレンズ駆動装置であって、
前記レンズ保持部材は、４つの前記角部に対向する４つの角対向部と、４つの前記側板部に対向する４つの側板対向部とを有し、
４つの前記角対向部のそれぞれは、前記レンズ保持部材の筒状部から外側へ突出する一対の突出部を含み、
前記コイルは、４つの前記角対向部と４つの前記側板対向部とを囲むように配置されており、
前記突出部の１つと前記側板対向部の１つと前記コイルとで囲まれた領域に、接着剤が配置されていることを特徴とするレンズ駆動装置。
【請求項２】
前記カバー部材は、４つの前記角部のそれぞれの内側に位置する４つの内周壁部を有し、４つの前記内周壁部のそれぞれは、対応する一対の前記突出部の間に配置されている、
請求項１に記載のレンズ駆動装置。
【請求項３】
前記レンズ保持部材は、前記領域の下面を構成する第１部分を含むフランジ部を有する、
請求項１又は２に記載のレンズ駆動装置。
【請求項４】
前記フランジ部は、４つの前記角対向部のそれぞれの下面を構成する４つの第２部分を含み、
４つの前記第２部分のそれぞれには、前記コイルの内面に沿って凹部が形成されている、
請求項３に記載のレンズ駆動装置。
【請求項５】
前記凹部は、前記レンズ保持部材の前記筒状部の側へ拡がる拡張部を有する、
請求項４に記載のレンズ駆動装置。
【請求項６】
前記凹部の前記拡張部内には、成形工程で前記レンズ保持部材を金型から取り出す際に使用されるエジェクタピンの痕が形成されている、
請求項５に記載のレンズ駆動装置。
【請求項７】
前記コイルは、八角形状をなしており、８つの折り曲げ部を含み、
一対の前記突出部の間の幅は、対応する２つの前記折り曲げ部の間の幅内に含まれている、
請求項１乃至請求項６の何れかに記載のレンズ駆動装置。
【請求項８】
４つの側板部及び４つの角部を含む外周壁部と天井部とを有するカバー部材と、
前記カバー部材に収容され、レンズ体を保持可能なレンズ保持部材と、
前記レンズ保持部材に固定されたコイルと、
前記コイルに対向する磁石と、
前記レンズ保持部材を光軸方向へ移動可能に支持する支持部材と、
を備えたレンズ駆動装置の製造方法において、
前記レンズ保持部材は、４つの前記角部に対向する４つの角対向部と、４つの前記側板部に対向する４つの側板対向部とを有し、
４つの前記角対向部のそれぞれは、前記レンズ保持部材の筒状部から外側へ突出する一対の突出部を含み、
前記レンズ駆動装置の製造方法は、
前記コイルが４つの前記角対向部と４つの前記側板対向部とを囲むように前記コイルを前記レンズ保持部材の周囲に装着する装着工程と、
前記突出部の１つと前記側板対向部の１つと前記コイルとで囲まれた領域に接着剤を充填する充填工程と、
前記接着剤を硬化させて前記コイルを前記レンズ保持部材に固定する固定工程と、
を有することを特徴とするレンズ駆動装置の製造方法。
【請求項９】
前記レンズ保持部材は、前記領域の下面を構成する第１部分を含むフランジ部を有する、
請求項８に記載のレンズ駆動装置の製造方法。
【請求項１０】
前記フランジ部は、４つの前記角対向部のそれぞれの下面を構成する４つの第２部分を含み、
４つの前記第２部分のそれぞれには、前記コイルの内面に沿って凹部が形成されており、
前記レンズ駆動装置の製造方法は、前記充填工程の後に、前記領域に充填された前記接着剤の一部を前記凹部に流す工程を有する、
請求項９に記載のレンズ駆動装置の製造方法。
【請求項１１】
請求項１乃至７の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、カメラ付き携帯機器等に搭載されるレンズ駆動装置、レンズ駆動装置を含むカメラモジュール、及び、レンズ駆動装置の製造方法に関する。
【背景技術】
【０００２】
従来、レンズホルダ（レンズ保持部材）とレンズ保持部材の外周に配置されるコイルとを含むレンズ駆動装置が知られている（特許文献１参照。）。この装置では、コイルは、接着剤によってレンズ保持部材に固定されている。具体的には、コイルは、八角環状であり、４つの長辺部と４つの短辺部とを含む。そして、接着剤は、４つの短辺部のそれぞれの内周面の中央部分と、レンズ保持部材における４つの接着面のそれぞれとの間に充填される。
【先行技術文献】
【特許文献】
【０００３】
【特許文献１】特開２０１３−７９９９号公報
【発明の概要】
【発明が解決しようとする課題】
【０００４】
しかしながら、上述のレンズ駆動装置では、４つの接着面のそれぞれは、比較的小さい範囲に限定されている。そのため、レンズ保持部材とコイルとの間の接着が不十分となってしまうおそれがある。
【０００５】
レンズ駆動装置では、レンズ保持部材とコイルとの間の接着性を高めることが望ましい。
【課題を解決するための手段】
【０００６】
本発明の実施形態に係るレンズ駆動装置は、４つの側板部及び４つの角部を含む外周壁部と天井部とを有するカバー部材と、前記カバー部材に収容され、レンズ体を保持可能なレンズ保持部材と、前記レンズ保持部材に固定されたコイルと、前記コイルに対向する磁石と、前記レンズ保持部材を光軸方向へ移動可能に支持する支持部材と、を備えたレンズ駆動装置であって、前記レンズ保持部材は、４つの前記角部に対向する４つの角対向部と、４つの前記側板部に対向する４つの側板対向部とを有し、４つの前記角対向部のそれぞれは、前記レンズ保持部材の筒状部から外側へ突出する一対の突出部を含み、前記コイルは、４つの前記角対向部と４つの前記側板対向部とを囲むように配置されており、前記突出部の１つと前記側板対向部の１つと前記コイルとで囲まれた領域に、接着剤が配置されている。
【発明の効果】
【０００７】
上述の手段により、レンズ保持部材とコイルとの間の接着性が高められたレンズ駆動装置が提供される。
【図面の簡単な説明】
【０００８】
【図１】レンズ駆動装置の分解斜視図である。
【図２】レンズ駆動装置の上方斜視図及び正面図である。
【図３】レンズ駆動装置の上面図及び底面図である。
【図４】カバー部材が省略された状態にあるレンズ駆動装置の上方斜視図及び正面図である。
【図５】レンズ保持部材の上方斜視図である。
【図６】レンズ保持部材の下方斜視図である。
【図７】レンズ保持部材の上面図である。
【図８】レンズ保持部材の下方斜視図である。
【図９】レンズ保持部材の一部の拡大図である。
【図１０】一部の部材が省略された状態にあるレンズ駆動装置の底面図である。
【図１１】上側板ばね及び下側板ばねの上面図である。
【図１２】レンズ駆動装置における板ばねとコイルとの接続構造の一例を説明する図である。
【図１３】レンズ駆動装置のベース部材の上方斜視図である。
【図１４】レンズ保持部材の一部の拡大上面図である。
【図１５】レンズ保持部材の一部の拡大上面図である。
【図１６】レンズ保持部材の一部の拡大側面図である。
【図１７】レンズ保持部材の一部の拡大上面図である。
【図１８】レンズ駆動装置の一部の断面図である。
【図１９】レンズ保持部材の上面図である。
【発明を実施するための形態】
【０００９】
以下、本発明の実施形態に係るレンズ駆動装置１０１について図面を参照して説明する。図１は、レンズ駆動装置１０１の分解斜視図である。図２（Ａ）は、レンズ駆動装置１０１の上方斜視図であり、図２（Ｂ）は、Ｙ２側から見たレンズ駆動装置１０１の正面図である。図３（Ａ）は、レンズ駆動装置１０１の上面図であり、図３（Ｂ）は、レンズ駆動装置１０１の底面図である。図４（Ａ）は、カバー部材としてのヨーク４を省略した状態のレンズ駆動装置１０１の上方斜視図であり、図２（Ａ）に対応する。図４（Ｂ）は、ヨーク４を省略した状態のレンズ駆動装置１０１の正面図であり、図２（Ｂ）に対応する。
【００１０】
レンズ駆動装置１０１は、図１に示すように、レンズ体（図示せず。）を保持可能なレンズ保持部材２と、レンズ保持部材２をレンズ体に関する光軸方向ＪＤ（Ｚ軸方向）に沿って移動させる駆動機構ＭＫと、レンズ保持部材２を光軸方向ＪＤに移動可能に支持する板ばね６と、板ばね６が固定される固定側部材ＲＧと、外部との電気的な接続をもたらす端子７とを含む。レンズ体は、例えば、少なくとも１枚のレンズを備えた筒状のレンズバレルであり、その中心軸線が光軸方向ＪＤに沿うように構成されている。光軸方向ＪＤは、レンズ体に関する光軸の方向、及び、光軸に平行な方向を含む。
【００１１】
駆動機構ＭＫは、図１に示すように、八角環状に巻かれたコイル３と、矩形箱状のカバー部材としてのヨーク４と、コイル３と対向して配置された４つの磁石５とを含む。磁石５は、第１磁石５Ａ〜第４磁石５Ｄを含む。固定側部材ＲＧは、ヨーク４と、端子７が埋め込まれたベース部材１８とを含む。板ばね６は、レンズ保持部材２とヨーク４との間に配置される上側板ばね１６と、レンズ保持部材２とベース部材１８との間に配置される下側板ばね２６と、を含む。下側板ばね２６は、下側板ばね２６Ａ及び下側板ばね２６Ｂを含む。
【００１２】
コイル３は、導電性の線材を巻回して形成され、レンズ保持部材２の外周に配置されている。コイル３は、図１に示すように、コイル本体部としての巻回部１３を含む。図１は、明瞭化のため、巻回部１３に関しては、絶縁部材で表面を被覆された導電性の線材の詳細な巻回状態の図示を省略している。巻回部１３を図示する他の図についても同様である。なお、巻回部１３は、レンズ保持部材２に直接巻き付けられることで形成されてもよく、空芯コイルとして形成された後でレンズ保持部材２に取り付けられてもよい。
【００１３】
本実施形態では、巻回部１３は、八角環状をなし、図４（Ａ）に示すように、４つの長辺部３Ａと４つの短辺部３Ｅとを含む。４つの長辺部３Ａは、第１長辺部３Ａ１〜第４長辺部３Ａ４を含む。４つの短辺部３Ｅは、第１短辺部３Ｅ１〜第４短辺部３Ｅ４を含む。具体的には、巻回部１３は、８つの折り曲げ部を含む。８つの折り曲げ部のそれぞれは、長辺部３Ａと短辺部３Ｅとの間に配置されている。すなわち、長辺部３Ａと短辺部３Ｅとは交互に配置されている。
【００１４】
ヨーク４は、図２（Ａ）に示すように、ベース部材１８に結合されてベース部材１８とともに筐体を構成する。本実施形態では、ヨーク４は、鉄等の軟磁性体材料で形成された板材に抜き加工及び絞り加工を施して作製されている。具体的には、ヨーク４は、収納部４ｓを定める矩形箱状の外形を有する。より具体的には、ヨーク４は、矩形環状の外周壁部４Ｇと、外周壁部４Ｇの上端（Ｚ１側の端）と連続するように設けられた環状且つ四隅を除いて平板状の天井部４Ｂと、天井部４Ｂの内周縁から光軸方向ＪＤに沿って下方（Ｚ２方向）に延びる内周壁部４Ｆと、を有する。但し、ヨーク４は、オーステナイト系ステンレス鋼等の非磁性体で形成されたカバー部材で置き換えられてもよい。
【００１５】
天井部４Ｂは、天井部４Ｂの四隅を構成する４つの天井角部４Ｃと天井中央部４Ｄとを含む。４つの天井角部４Ｃは、第１天井角部４Ｃ１〜第４天井角部４Ｃ４を含む。天井中央部４Ｄは、天井部４Ｂの上面を構成する八角環状の板状部材であり、その中央には略円形の開口４ｋが形成されている。天井中央部４Ｄが形成する上面は、４つの天井角部４Ｃのそれぞれが形成する上面よりも高い位置に形成されている。すなわち、天井角部４Ｃは、天井中央部４Ｄの上面から下方（Ｚ２方向）に窪むように形成されている。天井中央部４Ｄと上側板ばね１６との間に所定の間隔を形成しながら、天井角部４Ｃの下面（Ｚ２側の面）と磁石５の上面（Ｚ１側の面）との間で上側板ばね１６を挟持できるようにするためである。
【００１６】
外周壁部４Ｇは、４つの側板部４Ａと４つの角部４Ｅとを含む。４つの側板部４Ａは、平板状に形成された第１側板部４Ａ１〜第４側板部４Ａ４を含む。第１側板部４Ａ１と第３側板部４Ａ３とは互いに平行に対向配置されており、第２側板部４Ａ２と第４側板部４Ａ４とは互いに平行に対向配置されている。そして、第２側板部４Ａ２及び第４側板部４Ａ４のそれぞれは、第１側板部４Ａ１及び第３側板部４Ａ３のそれぞれに垂直となるように配置されている。４つの角部４Ｅは、第１角部４Ｅ１〜第４角部４Ｅ４を含む。第１角部４Ｅ１は、第１側板部４Ａ１と第４側板部４Ａ４との間に形成され、第１天井角部４Ｃ１に対応している。第２角部４Ｅ２は、第１側板部４Ａ１と第２側板部４Ａ２との間に形成され、第２天井角部４Ｃ２に対応している。第３角部４Ｅ３は、第２側板部４Ａ２と第３側板部４Ａ３との間に形成され、第３天井角部４Ｃ３に対応している。第４角部４Ｅ４は、第３側板部４Ａ３と第４側板部４Ａ４との間に形成され、第４天井角部４Ｃ４に対応している。
【００１７】
内周壁部４Ｆは、第１内周壁部４Ｆ１〜第４内周壁部４Ｆ４を含む。第１内周壁部４Ｆ１は、第１天井角部４Ｃ１及び第１角部４Ｅ１の内側で、第１天井角部４Ｃ１及び第１角部４Ｅ１のそれぞれに対向するように配置されている。第２内周壁部４Ｆ２は、第２天井角部４Ｃ２及び第２角部４Ｅ２の内側で、第２天井角部４Ｃ２及び第２角部４Ｅ２のそれぞれに対向するように配置されている。第３内周壁部４Ｆ３は、第３天井角部４Ｃ３及び第３角部４Ｅ３の内側で、第３天井角部４Ｃ３及び第３角部４Ｅ３のそれぞれに対向するように配置されている。第４内周壁部４Ｆ４は、第４天井角部４Ｃ４及び第４角部４Ｅ４の内側で、第４天井角部４Ｃ４及び第４角部４Ｅ４のそれぞれに対向するように配置されている。
【００１８】
磁石５は、本実施形態では、図１に示すように断面が台形の四角柱形状を有する。そして、４つの磁石５は、図４（Ａ）に示すように、コイル３の外側に位置するように配置されている。また、磁石５は、コイル３の巻回部１３を構成する４つの短辺部３Ｅのそれぞれに対向するように、且つ、ヨーク４の外周壁部４Ｇを構成する４つの角部４Ｅのそれぞれに対向するように配置されている。そして、磁石５は、接着剤により、外周壁部４Ｇの内面に固定されている。また、磁石５は、例えば、内側がＮ極、外側がＳ極となるように配置されている。
【００１９】
具体的には、第１磁石５Ａは、内側面が第１短辺部３Ｅ１と対向し、外側面が第１角部４Ｅ１と対向し、上側面が第１天井角部４Ｃ１と対向するように配置されている。第２磁石５Ｂは、内側面が第２短辺部３Ｅ２と対向し、外側面が第２角部４Ｅ２と対向し、上側面が第２天井角部４Ｃ２と対向するように配置されている。第３磁石５Ｃは、内側面が第３短辺部３Ｅ３と対向し、外側面が第３角部４Ｅ３と対向し、上側面が第３天井角部４Ｃ３と対向するように配置されている。第４磁石５Ｄは、内側面が第４短辺部３Ｅ４と対向し、外側面が第４角部４Ｅ４と対向し、上側面が第４天井角部４Ｃ４と対向するように配置されている。
【００２０】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体と、レンズ体に対向するように基板に実装された撮像素子とはカメラモジュールを構成する。コイル３は、下側板ばね２６Ａ、２６Ｂ、端子７Ａ、７Ｂ及び基板を介して電源に接続される。コイル３に電流が流れると、駆動機構ＭＫは、光軸方向ＪＤに沿った電磁力を発生させる。
【００２１】
レンズ駆動装置１０１は、この電磁力を利用し、撮像素子のＺ１側（被写体側）で、光軸方向ＪＤに沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００２２】
次に、レンズ保持部材２と駆動機構ＭＫについて説明する。図５（Ａ）は、レンズ保持部材２の上方斜視図であり、図５（Ｂ）は、図５（Ａ）のレンズ保持部材２にコイル３が巻かれた状態を示す上方斜視図である。図６（Ａ）は、レンズ保持部材２の下方斜視図であり、図６（Ｂ）は、図６（Ａ）のレンズ保持部材２にコイル３が巻かれた状態を示す下方斜視図である。図７（Ａ）は、レンズ保持部材２の上面図であり、図７（Ｂ）は、図７（Ａ）のレンズ保持部材２にコイル３が巻かれた状態を示す上図である。図８（Ａ）は、レンズ保持部材２の下方斜視図であり、図８（Ｂ）は、図８（Ａ）に示すレンズ保持部材２にコイル３が巻かれた状態を示す下方斜視図である。図９（Ａ）は、図８（Ｂ）に示す部分Ｑの拡大図であり、図９（Ｂ）は、図６（Ｂ）に示す部分Ｐの拡大図である。図１０（Ａ）は、端子７及びベース部材１８が省略された状態のレンズ駆動装置１０１の底面図であり、図１０（Ｂ）は、更に下側板ばね２６Ａ、下側板ばね２６Ｂ及びレンズ保持部材２が省略された状態のレンズ駆動装置１０１の底面図である。
【００２３】
本実施形態では、レンズ保持部材２は、液晶ポリマー（ＬＣＰ）等の合成樹脂を射出成形することで作製されている。具体的には、レンズ保持部材２は、図５（Ａ）に示すように、光軸方向ＪＤに沿って貫通されるように形成された筒状部１２と、光軸方向ＪＤにおける撮像素子側（Ｚ２側）に形成されたフランジ部（鍔状部）５２とを含む。筒状部１２は、フランジ部５２の光軸方向ＪＤにおける被写体側（Ｚ１側）において、コイル支持部１２ｊを除き、円筒状に形成されている。
【００２４】
筒状部１２には、レンズ体が装着されるように、円筒状の内周面にねじ溝が設けられている。但し、レンズ体は、接着剤によって筒状部１２に固定されてもよい。この場合、ねじ溝は省略されてもよい。また、筒状部１２には、被写体側の端面に窪み１２ｄｈを有した台座部１２ｄが光軸を挟んで４箇所に設けられている。台座部１２ｄには、図４（Ａ）に示すように、上側板ばね１６の内側部分１６ｉが載置され、且つ、接着剤で固定される。
【００２５】
筒状部１２の外周面には、図５（Ａ）に示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。具体的には、コイル支持部１２ｊは、ヨーク４の４つの角部４Ｅに対向するように配置されている４つの角対向部１２Ｃと、ヨーク４の４つの側板部４Ａに対向するように配置されている４つの側板対向部１２Ｓとを含む。コイル支持部１２ｊとヨーク４の外周壁部４Ｇとの間にはコイル３の巻回部１３が存在する。そのため、側板対向部１２Ｓは、巻回部１３を挟んだ状態で、ヨーク４の側板部４Ａに対向している。本実施形態では、側板対向部１２Ｓは、巻回部１３の内周面と接している。但し、側板対向部１２Ｓは、巻回部１３の内周面と直接的には接することなく、接着剤を介して巻回部１３の内周面と接するように構成されていてもよい。そして、コイル支持部１２ｊは、八角環状のコイル３を支持できるように、角対向部１２Ｃ及び側板対向部１２Ｓが交互に並ぶように構成されている。より具体的には、角対向部１２Ｃは、第１角対向部１２Ｃ１〜第４角対向部１２Ｃ４を含む。第１角対向部１２Ｃ１は、第１角部４Ｅ１に対向するように配置されている。第２角対向部１２Ｃ２は、第２角部４Ｅ２に対向するように配置されている。第３角対向部１２Ｃ３は、第３角部４Ｅ３に対向するように配置されている。第４角対向部１２Ｃ４は、第４角部４Ｅ４に対向するように配置されている。
【００２６】
側板対向部１２Ｓは、第１側板対向部１２Ｓ１〜第４側板対向部１２Ｓ４を含む。第１側板対向部１２Ｓ１は、第１側板部４Ａ１の中央部分に対向するように、第１角対向部１２Ｃ１と第２角対向部１２Ｃ２との間に配置されている。第２側板対向部１２Ｓ２は、第２側板部４Ａ２の中央部分に対向するように、第２角対向部１２Ｃ２と第３角対向部１２Ｃ３との間に配置されている。第３側板対向部１２Ｓ３は、第３側板部４Ａ３の中央部分に対向するように、第３角対向部１２Ｃ３と第４角対向部１２Ｃ４との間に配置されている。第４側板対向部１２Ｓ４は、第４側板部４Ａ４の中央部分に対向するように、第４角対向部１２Ｃ４と第１角対向部１２Ｃ１との間に配置されている。
【００２７】
なお、本実施形態では、側板対向部１２Ｓは、側板部４Ａの中央部分における、側板部４Ａの全長の約３分の１にわたる部分に対向するように構成されている。但し、側板対向部１２Ｓは、側板部４Ａの中央部分における、側板部４Ａの全長の４分の１以下の長さにわたる部分に対向するように構成されていてもよい。例えば、側板対向部１２Ｓは、側板部４Ａの中央部分における極めて小さい範囲にのみ対向するように構成されていてもよい。また、本実施形態では、４つの側板対向部１２Ｓは、対向する側板部４Ａに沿ってほぼ同じ長さを有するように構成されている。但し、４つの側板対向部１２Ｓは、互いに異なる長さを有するように構成されていてもよい。
【００２８】
４つの角対向部１２Ｃのそれぞれは、筒状部１２から外側に向かって突出する一対の突出部ＰＴを含む。一対の突出部ＰＴは、典型的には、光軸方向ＪＤに沿って延びる互いに平行な平板状の部分である。具体的には、第１角対向部１２Ｃ１は、一対の第１突出部ＰＴ１（左第１突出部ＰＴ１Ｌと右第１突出部ＰＴ１Ｒ）を含む。第２角対向部１２Ｃ２は、一対の第２突出部ＰＴ２（左第２突出部ＰＴ２Ｌと右第２突出部ＰＴ２Ｒ）を含む。第３角対向部１２Ｃ３は、一対の第３突出部ＰＴ３（左第３突出部ＰＴ３Ｌと右第３突出部ＰＴ３Ｒ）を含む。第４角対向部１２Ｃ４は、一対の第４突出部ＰＴ４（左第４突出部ＰＴ４Ｌと右第４突出部ＰＴ４Ｒ）を含む。本実施形態では、突出部ＰＴは、その外側の端面でコイル３の巻回部１３の内周面と接している。但し、突出部ＰＴは、巻回部１３の内周面と直接的には接することなく、接着剤を介して巻回部１３の内周面と間接的に接するように構成されていてもよい。
【００２９】
コイル３は、図５（Ｂ）に示すように、コイル支持部１２ｊの外周面に支持されるようにしてレンズ保持部材２の外周面側に八角環状に巻かれている。
【００３０】
フランジ部５２は、筒状部１２の撮像素子側（Ｚ２側）における外周面から径方向外側に突出している。フランジ部５２は、径方向外側に更に突出する凸部５２Ｓを含む。凸部５２Ｓは、コイル３を受ける部分であり、凸部５２Ｓの被写体側にはコイル３が配置されている。具体的には、凸部５２Ｓは、Ｘ１方向に突出する第１凸部５２Ｓ１、Ｙ２方向に突出する第２凸部５２Ｓ２、Ｘ２方向に突出する第３凸部５２Ｓ３、及び、Ｙ１方向に突出する第４凸部５２Ｓ４を含む。すなわち、コイル３の下面は、凸部５２Ｓによって部分的に支持されている。但し、コイル３の下面は、筒状部１２の全周囲に形成された凸部５２Ｓ等によって全周にわたって支持されていてもよい。
【００３１】
フランジ部５２（凸部５２Ｓ）には、図６（Ｂ）に示すように、レンズ体の光軸を挟んで切欠部５２ｋが２つ形成されている。そして、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されていてもよい。縁部と接するコイル３の線材が断線するのを防止し或いは抑制するためである。第１凸部５２Ｓ１は、切欠部５２ｋが形成されるよう、２つに分離されている。第３凸部５２Ｓ３についても同様である。
【００３２】
レンズ保持部材２は、図６（Ａ）に示すように、撮像素子側（Ｚ２側）の面から下方（Ｚ２方向）に突出した、角形凸状の２つの保持部７２と、丸形凸状の６つの突設部２ｔと、３つの壁部（内側壁部８２ｕ、外側壁部８２ｖ、側壁部８２ｗ）で形成された２つの突堤部８２とを含む。
【００３３】
保持部７２は、図６（Ｂ）に示すように、コイル３（巻回部１３）の巻き始め側に対応する保持部７２Ａと、コイル３（巻回部１３）の巻き終わり側に対応する保持部７２Ｂと、を含む。コイル３の両端は、保持部７２に巻き付けられて保持されている。
【００３４】
突設部２ｔは、図６（Ａ）及び図１０（Ａ）に示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの可動側支持部としての内側部分２６ｉが装着されて固定されている。下側板ばね２６Ａ及び下側板ばね２６Ｂのそれぞれの内側部分２６ｉの固定は、内側部分２６ｉに形成された貫通部としての貫通孔に挿通された突設部２ｔを熱かしめすることによって実現される。貫通部は、切り欠きであってもよい。熱かしめは、冷間かしめであってもよい。図６及び図８〜図１０では、突設部２ｔは、熱かしめされた後の先端が変形した状態で図示されている。
【００３５】
突堤部８２は、図６（Ａ）に示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９（Ａ）に示すように、壁部が切り欠かれた開放部８２ｚが形成されている。そして、３つの壁部（内側壁部８２ｕ、外側壁部８２ｖ、側壁部８２ｗ）で囲われた空間が収容部８２ｓを形成している。収容部８２ｓは、コイル３の延在部３３Ａ、３３Ｂと下側板ばね２６Ａ、２６Ｂとを接続する導電性接着剤を収容できるように構成されている。本実施形態では、突堤部８２が保持部７２と隣り合う位置に形成されているので、保持部７２の側壁は、突堤部８２の側壁部８２ｗとして好適に利用されている。したがって、保持部７２と隣り合う位置に収容部８２ｓが設けられている。
【００３６】
次に、レンズ駆動装置１０１の駆動機構ＭＫについて説明する。駆動機構ＭＫは、図１０（Ｂ）に示すように、コイル３と、ヨーク４と、ヨーク４の４つの角部４Ｅと対向するように配置された４つの磁石５と、を含む。そして、駆動機構ＭＫは、コイル３に流れる電流と磁石５が発生する磁界とで駆動力（推力）を発生させ、レンズ保持部材２を光軸方向ＪＤに沿って上下に移動させる。
【００３７】
コイル３は、図６（Ｂ）に示すように、八角環状に巻かれて形成されたコイル本体部としての巻回部１３と、巻回部１３から延びて保持部７２に巻き付けられる延在部３３とを含む。
【００３８】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００３９】
具体的には、延在部３３Ａは、図９（Ａ）に示すように、保持部７２Ａに巻き付けられる巻き付け部３３ｍと、収容部８２ｓの内底面と対向して延びる接続部３３ｃと、切欠部５２ｋに挿通されてフランジ部５２（凸部５２Ｓ）の撮像素子側（Ｚ２側）から被写体側（Ｚ１側）に延びる挿通部３３ｋとを含む。延在部３３Ｂは、図９（Ｂ）に示すように、保持部７２Ｂに巻き付けられる巻き付け部３３ｍと、収容部８２ｓの内底面と対向して延びる接続部３３ｃと、切欠部５２ｋに挿通されてフランジ部５２（凸部５２Ｓ）の撮像素子側（Ｚ２側）から被写体側（Ｚ１側）に延びる挿通部３３ｋとを含む。
【００４０】
本実施形態では、延在部３３Ａは、コイル３の線材がレンズ保持部材２の外周に巻き付けられる前に、レンズ保持部材２の保持部７２Ａに巻き付けられる。図９（Ａ）に示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。
【００４１】
次に、レンズ保持部材２の外周に線材が巻き付けられる。その際には、図９（Ａ）に示すように、巻き付け部３３ｍから延びる線材は、収容部８２ｓの内底面と対向するように延び、且つ、壁部が切り欠かれた開放部８２ｚを通る。そして、線材は、フランジ部５２の下側から切欠部５２ｋを通ってフランジ部５２の上側に延びる。このとき、収容部８２ｓの内底面と対向する部分が延在部３３Ａの接続部３３ｃを構成し、切欠部５２ｋを通る部分が延在部３３Ａの挿通部３３ｋを構成する。
【００４２】
延在部３３Ａの挿通部３３ｋは、フランジ部５２の下側から上側に延びる際、図９（Ａ）に示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００４３】
レンズ保持部材２の外周に巻回されたコイル３の巻回部１３は、図５（Ｂ）に示すように、レンズ保持部材２の周囲を囲む位置に配置されている。また、巻回部１３は、コイル支持部１２ｊ（図５（Ａ）参照。）により内側から支持された状態で、フランジ部５２の凸部５２Ｓの被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸は、レンズ保持部材２及びコイル３のそれぞれの中心軸と容易に一致するように構成されている。
【００４４】
レンズ保持部材２の外周への線材の巻き付けが終了すると、巻回部１３の巻き終わり側の端部に繋がる延在部３３Ｂは、図９（Ｂ）に示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面と対向して延び、巻き付け部３３ｍがレンズ保持部材２の保持部７２Ｂに巻き付けられる。図９（Ｂ）に示す例では、延在部３３Ｂは、保持部７２Ｂに３ターン巻き付けられている。
【００４５】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの間隔の増大が回避され、レンズ駆動装置１０１の寸法が光軸方向ＪＤにおいて大きくなるのが抑制され得る。
【００４６】
次に、板ばね６及び固定側部材ＲＧについて説明する。図１１は、板ばね６を説明する図である。図１１（Ａ）は、上側板ばね１６の上面図であり、図１１（Ｂ）は、下側板ばね２６の上面図である。図１２は、下側板ばね２６Ａとコイル３との接続構造の一例を説明する図である。具体的には、図１２（Ａ）は、図１０（Ａ）に示す部分Ｒの拡大図であり、図１２（Ｂ）は、図１０（Ａ）に示す部分ＲをＸ２側から見たときの下側板ばね２６Ａ、コイル３及びレンズ保持部材２の拡大図である。なお、図１２（Ａ）及び図１２（Ｂ）では、説明を分かり易くするため、導電性接着剤ＣＡがクロスハッチングで示されている。図１３は、固定側部材ＲＧとしてのベース部材１８を説明する図である。具体的には、図１３（Ａ）は、ベース部材１８の上方斜視図であり、図１３（Ｂ）は、ベース部材１８に下側板ばね２６Ａ及び下側板ばね２６Ｂを組み付けた状態のベース部材１８の上方斜視図である。
【００４７】
板ばね６は、銅合金を主な材料とした金属板から作製されている。板ばね６は、図１に示すように、レンズ保持部材２とヨーク４との間に配置される上側板ばね１６と、レンズ保持部材２とベース部材１８との間に配置される下側板ばね２６とを含む。レンズ保持部材２と板ばね６（上側板ばね１６及び下側板ばね２６）のそれぞれとが係合された状態で、板ばね６は、レンズ保持部材２が光軸方向ＪＤ（Ｚ軸方向）へ移動可能となるように、レンズ保持部材２を空中で支持している。下側板ばね２６は、コイル３に電流を供給するための給電部材として機能する。そのため、下側板ばね２６Ａはコイル３の一端に電気的に接続され、下側板ばね２６Ｂはコイル３の他端に電気的に接続されている。上側板ばね１６とヨーク４又は磁石５との間にはスペーサ部材が配置されていてもよい。レンズ保持部材２がＺ１方向に移動したときにレンズ保持部材２とヨーク４とが衝突するのを防止するためである。
【００４８】
上側板ばね１６は、図１１（Ａ）に示すように、略矩形状を有し、レンズ保持部材２に固定される可動側支持部としての内側部分１６ｉと、固定側部材ＲＧに固定される固定側支持部としての外側部分１６ｅと、内側部分１６ｉと外側部分１６ｅとの間に位置する４つの弾性腕部１６ｇとを含む。具体的には、内側部分１６ｉは、中心を挟んで対向する２箇所に設けられている。外側部分１６ｅは、４つの角部分１６ｂと、４つの角部分１６ｂのそれぞれを繋ぐ４つの桟部１６ｒとを有している。角部分１６ｂは、ヨーク４の天井部４Ｂの一部を構成する天井角部４Ｃと磁石５とで挟持されて固定される。
【００４９】
弾性腕部１６ｇは、ヨーク４における第１天井角部４Ｃ１〜第４天井角部４Ｃ４のそれぞれに対応するように配置された第１弾性腕部１６ｇ１〜第４弾性腕部１６ｇ４を含む。第１弾性腕部１６ｇ１〜第４弾性腕部１６ｇ４は、対応する第１天井角部４Ｃ１〜第４天井角部４Ｃ４の内側（光軸側）に位置している。すなわち、第１弾性腕部１６ｇ１〜第４弾性腕部１６ｇ４は、第１弾性腕部１６ｇ１〜第４弾性腕部１６ｇ４の弾性変形が第１天井角部４Ｃ１〜第４天井角部４Ｃ４によって妨げられないように配置されている。
【００５０】
上側板ばね１６がレンズ駆動装置１０１に組み込まれた際には、図４（Ａ）に示すように、内側部分１６ｉは、レンズ保持部材２の台座部１２ｄ（図５（Ａ）参照。）に載置される。そして、内側部分１６ｉと台座部１２ｄとを接着剤で固定することにより、内側部分１６ｉはレンズ保持部材２に固定される。外側部分１６ｅの角部分１６ｂは、図４（Ｂ）に示すように、磁石５の上面（Ｚ１側の面）に接し、天井部４Ｂの天井角部４Ｃと磁石５との間に挟持されて接着剤で固定される。
【００５１】
上側板ばね１６は、図１１（Ａ）に示すように、略左右対称に形成されている。そして、内側部分１６ｉでレンズ保持部材２に固定され、外側部分１６ｅでヨーク４に固定されている。そのため、上側板ばね１６は、レンズ保持部材２をバランス良く空中で支持できる。
【００５２】
下側板ばね２６Ａ及び下側板ばね２６Ｂは、図１１（Ｂ）に示すように、それぞれの内側形状が半円形状となるように構成されている。そして、下側板ばね２６Ａ及び下側板ばね２６Ｂは、それぞれ、レンズ保持部材２に固定される可動側支持部としての内側部分２６ｉと、固定側部材ＲＧに固定される固定側支持部としての外側部分２６ｅと、内側部分２６ｉと外側部分２６ｅとの間に位置する弾性腕部２６ｇとを含む。
【００５３】
下側板ばね２６Ａ及び下側板ばね２６Ｂのそれぞれの内側部分２６ｉは、図１１（Ｂ）に示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００５４】
下側板ばね２６Ａ及び下側板ばね２６Ｂがレンズ駆動装置１０１に組み込まれた際には、図６（Ａ）に示すレンズ保持部材２の６つの突設部２ｔのそれぞれは、図１１（Ｂ）に示す下側板ばね２６Ａ及び下側板ばね２６Ｂのそれぞれの内側接合部分２６ｃに設けられた貫通部としての円形の貫通孔に挿通されて嵌合される。貫通部は、切り欠きであってもよい。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００５５】
以下では、主に下側板ばね２６Ａとレンズ保持部材２及びコイル３との関係を説明する。但し、下側板ばね２６Ａに関するこの説明は、下側板ばね２６Ｂにも同様に適用される。
【００５６】
下側板ばね２６Ａの内側部分２６ｉの接続板部２６ｈは、図１２（Ａ）及び図１２（Ｂ）に示すように、レンズ駆動装置１０１が組み立てられた際には、レンズ保持部材２の突堤部８２と対向する。すなわち、接続板部２６ｈの被写体側（Ｚ１側）の面は、図１２（Ａ）に示すように、突堤部８２で形成された収容部８２ｓと対向する。そして、コイル３の延在部３３Ａの接続部３３ｃは、図１２（Ｂ）に示すように、下側板ばね２６Ａの内側部分２６ｉ（接続板部２６ｈ）の被写体側の面とレンズ保持部材２の撮像素子側（Ｚ２側）の面との間を通って延びる。
【００５７】
内側部分２６ｉの接続板部２６ｈには、図１２（Ａ）に示すように、突堤部８２の開放部８２ｚと対向する位置に、両側から切り欠かれた貫通部２６ｔが設けられ、且つ、側壁部８２ｗと対向する位置に、半円形状の切欠部２６ｋが設けられている。貫通部２６ｔは、底面視で、突堤部８２の内側壁部８２ｕ及び外側壁部８２ｖの端部に対応する位置に設けられ、且つ、貫通部２６ｔを構成している壁端面２６ｘがこれらの端部を覆うように設けられている。この配置により、貫通部２６ｔは、導電性接着剤ＣＡが下側板ばね２６ＡのＺ１側の表面を伝ってＹ２側に広がるのを防止している。また、切欠部２６ｋは、導電性接着剤ＣＡが下側板ばね２６ＡのＺ１側の表面を伝って側壁部８２ｗの側（Ｙ１側）に広がるのを防止している。すなわち、接続部３３ｃが位置している内側壁部８２ｕの側（Ｘ１側）に接着剤が広がり易くなるようにしている。接続部３３ｃの全周囲が導電性接着剤ＣＡによって覆われるようにするためである。
【００５８】
下側板ばね２６Ａがレンズ保持部材２に組み付けられた際には、図１２（Ｂ）に示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００５９】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが充填され、その後、下側板ばね２６Ａがレンズ保持部材２に装着される。そして、レンズ保持部材２の突設部２ｔが熱かしめされ、且つ、導電性接着剤ＣＡが熱硬化される。導電性接着剤ＣＡの収容部８２ｓへの充填から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。なお、導電性接着剤ＣＡは、熱硬化型に限らず、紫外線硬化型のものであってもよい。
【００６０】
下側板ばね２６Ａの外側部分２６ｅは、図１１（Ｂ）に示すように、ベース部材１８と係合される２つの外側接合部分２６ｄと、２つの外側接合部分２６ｄを繋ぐ第２連結部２６ｑとを含む。下側板ばね２６Ａの外側接合部分２６ｄに設けられた貫通部としての貫通孔は、ベース部材１８の上面に設けられた突設部１８ｔ（図１３（Ａ）参照。）と嵌合する。貫通部は、切り欠きであってもよい。これにより、下側板ばね２６Ａの外側部分２６ｅは、ベース部材１８に位置決めされ且つ固定される。
【００６１】
下側板ばね２６Ａ及び下側板ばね２６Ｂは、図１１（Ｂ）に示すように、略左右対称に形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向ＪＤへ移動可能な状態でバランス良く空中で支持することができる。
【００６２】
次に、固定側部材ＲＧについて説明する。固定側部材ＲＧは、上側板ばね１６を固定するヨーク４及び磁石５と、下側板ばね２６Ａ及び下側板ばね２６Ｂのそれぞれを固定するベース部材１８とを含む。
【００６３】
ベース部材１８は、液晶ポリマー等の合成樹脂を用いた射出成形によって作製される。本実施形態では、ベース部材１８は、図１３（Ａ）に示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通部としての貫通孔に挿通され且つ嵌合される。貫通部は、切り欠きであってもよい。この際、突設部１８ｔは熱かしめが施されて外側接合部分２６ｄに固定される。図１３では、突設部１８ｔは、熱かしめされた後の先端が変形した状態で図示されている。突設部１８ｔは冷間かしめが施されて外側接合部分２６ｄに固定されてもよい。
【００６４】
ベース部材１８には、図１３（Ａ）に示すように、銅若しくは鉄又はそれらを主成分とする合金等の材料を含む金属板から形成された端子７がインサート成形されて埋め込まれている。端子７は、端子７Ａ及び端子７Ｂを含み、端子７Ａ及び端子７Ｂのそれぞれは、一部がベース部材１８の上面（Ｚ１側の面）に露出している。そして、互いに電気的に絶縁されている端子７Ａ及び端子７Ｂのそれぞれは、撮像素子を実装した基板（図示せず。）に電気的に接続されている。また、端子７Ａは下側板ばね２６Ａに電気的に接続され、端子７Ｂは下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、端子７と下側板ばね２６Ａ及び下側板ばね２６Ｂとを介して電流の供給を受けることができる。
【００６５】
ベース部材１８には、端子７と同様に、銅若しくは鉄又はそれらを主成分とする合金等の材料を含む金属板から形成された接続部材５７もインサート成形されて埋め込まれている。接続部材５７は、図２に示すように、ヨーク４の四隅の下端部のところで、一部を露出させている。ベース部材１８は、ヨーク４の側板部４Ａの内周面とベース部材１８の外周面とが組み合わさって位置決めされた後で、接続部材５７とヨーク４の四隅の下端部とが溶接されてヨーク４に固定される。ヨーク４とベース部材１８とは少なくとも部分的に接着剤で固定されてもよい。
【００６６】
次に、図７及び図１４〜図１６を参照し、レンズ保持部材２とコイル３との固定構造について説明する。図１４及び図１５は、図７（Ｂ）に示す部分Ｔの拡大図である。図１６は、図１４の矢印ＡＲ１で示す方向からレンズ保持部材２を見たときのレンズ保持部材２の側面図である。
【００６７】
図７（Ａ）及び図７（Ｂ）に示すように、コイル３は、レンズ保持部材２の周囲に配置され、８つの領域ＳＰの少なくとも１つに供給された接着剤によってレンズ保持部材２に固定される。本実施形態では、接着剤は、８つの領域ＳＰの全てに供給されている。図７（Ｂ）のメッシュパターンは、供給された接着剤を表している。
【００６８】
８つの領域ＳＰは、第１領域ＳＰ１〜第８領域ＳＰ８を含む。フランジ部５２は、図７（Ａ）に示すように、４つの角対向部１２Ｃに対応する４つの幅広部分５２Ｃと、８つの領域ＳＰに対応する８つの幅狭部分５２Ｐと、を含む。４つの幅広部分５２Ｃは、第１幅広部分５２Ｃ１〜第４幅広部分５２Ｃ４を含む。８つの幅狭部分５２Ｐは、第１幅狭部分５２Ｐ１〜第８幅狭部分５２Ｐ８を含む。
【００６９】
具体的には、第１幅広部分５２Ｃ１の上面は、第１角対向部１２Ｃ１を構成する一対の第１突出部ＰＴ１（左第１突出部ＰＴ１Ｌと右第１突出部ＰＴ１Ｒ）の間で、第１角対向部１２Ｃ１の底面を構成する。第２幅広部分５２Ｃ２の上面は、第２角対向部１２Ｃ２を構成する一対の第２突出部ＰＴ２（左第２突出部ＰＴ２Ｌと右第２突出部ＰＴ２Ｒ）の間で、第２角対向部１２Ｃ２の底面を構成する。第３幅広部分５２Ｃ３の上面は、第３角対向部１２Ｃ３を構成する一対の第３突出部ＰＴ３（左第３突出部ＰＴ３Ｌと右第３突出部ＰＴ３Ｒ）の間で、第３角対向部１２Ｃ３の底面を構成する。第４幅広部分５２Ｃ４の上面は、第４角対向部１２Ｃ４を構成する一対の第４突出部ＰＴ４（左第４突出部ＰＴ４Ｌと右第４突出部ＰＴ４Ｒ）の間で、第４角対向部１２Ｃ４の底面を構成する。
【００７０】
第１領域ＳＰ１は、上側（Ｚ１側）が開口した状態で、筒状部１２の一部と、右第１突出部ＰＴ１Ｒと、第４側板対向部１２Ｓ４と、フランジ部５２の第１幅狭部分５２Ｐ１と、巻回部１３の内周面の一部と、によって区切られる。第１幅狭部分５２Ｐ１の上面は、第１領域ＳＰ１の底面を構成する。
【００７１】
第２領域ＳＰ２は、上側（Ｚ１側）が開口した状態で、筒状部１２の一部と、左第１突出部ＰＴ１Ｌと、第１側板対向部１２Ｓ１と、フランジ部５２の第２幅狭部分５２Ｐ２と、巻回部１３の内周面の一部と、によって区切られる。第２幅狭部分５２Ｐ２の上面は、第２領域ＳＰ２の底面を構成する。
【００７２】
第３領域ＳＰ３は、上側（Ｚ１側）が開口した状態で、筒状部１２の一部と、右第２突出部ＰＴ２Ｒと、第１側板対向部１２Ｓ１と、フランジ部５２の第３幅狭部分５２Ｐ３と、巻回部１３の内周面の一部と、によって区切られる。第３幅狭部分５２Ｐ３の上面は、第３領域ＳＰ３の底面を構成する。
【００７３】
第４領域ＳＰ４は、上側（Ｚ１側）が開口した状態で、筒状部１２の一部と、左第２突出部ＰＴ２Ｌと、第２側板対向部１２Ｓ２と、フランジ部５２の第４幅狭部分５２Ｐ４と、巻回部１３の内周面の一部と、によって区切られる。第４幅狭部分５２Ｐ４の上面は、第４領域ＳＰ４の底面を構成する。
【００７４】
第５領域ＳＰ５は、上側（Ｚ１側）が開口した状態で、筒状部１２の一部と、右第３突出部ＰＴ３Ｒと、第２側板対向部１２Ｓ２と、フランジ部５２の第５幅狭部分５２Ｐ５と、巻回部１３の内周面の一部と、によって区切られる。第５幅狭部分５２Ｐ５の上面は、第５領域ＳＰ５の底面を構成する。
【００７５】
第６領域ＳＰ６は、上側（Ｚ１側）が開口した状態で、筒状部１２の一部と、左第３突出部ＰＴ３Ｌと、第３側板対向部１２Ｓ３と、フランジ部５２の第６幅狭部分５２Ｐ６と、巻回部１３の内周面の一部と、によって区切られる。第６幅狭部分５２Ｐ６の上面は、第６領域ＳＰ６の底面を構成する。
【００７６】
第７領域ＳＰ７は、上側（Ｚ１側）が開口した状態で、筒状部１２の一部と、右第４突出部ＰＴ４Ｒと、第３側板対向部１２Ｓ３と、フランジ部５２の第７幅狭部分５２Ｐ７と、巻回部１３の内周面の一部と、によって区切られる。第７幅狭部分５２Ｐ７の上面は、第７領域ＳＰ７の底面を構成する。
【００７７】
第８領域ＳＰ８は、上側（Ｚ１側）が開口した状態で、筒状部１２の一部と、左第４突出部ＰＴ４Ｌと、第４側板対向部１２Ｓ４と、フランジ部５２の第８幅狭部分５２Ｐ８と、巻回部１３の内周面の一部と、によって区切られる。第８幅狭部分５２Ｐ８の上面は、第８領域ＳＰ８の底面を構成する。
【００７８】
このように、第１角対向部１２Ｃ１は、第１領域ＳＰ１と第２領域ＳＰ２とに挟まれるように配置され、第２角対向部１２Ｃ２は、第３領域ＳＰ３と第４領域ＳＰ４とに挟まれるように配置され、第３角対向部１２Ｃ３は、第５領域ＳＰ５と第６領域ＳＰ６とに挟まれるように配置され、第４角対向部１２Ｃ４は、第７領域ＳＰ７と第８領域ＳＰ８とに挟まれるように配置されている。
【００７９】
以下では、主に、第２角対向部１２Ｃ２の周囲における各部材の関係について説明する。但し、この説明は、第１角対向部１２Ｃ１、第３角対向部１２Ｃ３及び第４角対向部１２Ｃ４のそれぞれの周囲における各部材の関係にも同様に適用される。
【００８０】
第２角対向部１２Ｃ２は、図１４に示すように、一対の第２突出部ＰＴ２（左第２突出部ＰＴ２Ｌと右第２突出部ＰＴ２Ｒ）の外側の端面を、巻回部１３の第２短辺部３Ｅ２の内周面に接触させている。第１側板対向部１２Ｓ１は、その外周面を、巻回部１３の第１長辺部３Ａ１の内周面に接触させている。第２側板対向部１２Ｓ２は、その外周面を、巻回部１３の第２長辺部３Ａ２の内周面に接触させている。
【００８１】
第２角対向部１２Ｃ２は、筒状部１２の外周面の一部と、左第２突出部ＰＴ２Ｌと、右第２突出部ＰＴ２Ｒと、第２短辺部３Ｅ２の内周面と、フランジ部５２の第２幅広部分５２Ｃ２と、によって区切られた、上側が開口した空間を形成している。
【００８２】
第３領域ＳＰ３に供給された接着剤の一部は、矢印ＡＲ２で示すように、巻回部１３の第１長辺部３Ａ１の内周面に沿ってＹ１方向に流れ、且つ、矢印ＡＲ３で示すように、巻回部１３の第２短辺部３Ｅ２の内周面に沿って流れ、第２角対向部１２Ｃ２内の空間に入り込む。
【００８３】
同様に、第４領域ＳＰ４に供給された接着剤の一部は、矢印ＡＲ４で示すように、巻回部１３の第２長辺部３Ａ２の内周面に沿ってＸ２方向に流れ、且つ、矢印ＡＲ５で示すように、巻回部１３の第２短辺部３Ｅ２の内周面に沿って流れ、第２角対向部１２Ｃ２内の空間に入り込む。
【００８４】
フランジ部５２の幅広部分５２Ｃの上面には、外縁に沿って凹部５２Ｇが形成されている。すなわち、フランジ部５２の幅広部分５２Ｃの上面には、巻回部１３の短辺部３Ｅに沿うように、凹部５２Ｇが形成されている。そして、凹部５２Ｇは、レンズ保持部材２の筒状部１２の側に拡がる拡張部５２Ｒを含む。
【００８５】
具体的には、第２幅広部分５２Ｃ２の上面には、図１４に示すように、巻回部１３の第２短辺部３Ｅ２に沿うように、凹部５２Ｇが形成されている。そして、凹部５２Ｇは、筒状部１２の側に拡がる拡張部５２Ｒを含んでいる。拡張部５２Ｒは、左第２突出部ＰＴ２Ｌと右第２突出部ＰＴ２Ｒとの中間に位置している。凹部５２Ｇの拡張部５２Ｒ内には、成形工程でレンズ保持部材２を金型から取り出す際に使用されるエジェクタピンの痕ＥＰが形成されている。本実施形態では、エジェクタピンの痕ＥＰは、４つの角対向部１２Ｃのそれぞれにおける拡張部５２Ｒ内に形成されている。
【００８６】
第３領域ＳＰ３及び第４領域ＳＰ４のそれぞれから第２角対向部１２Ｃ２内の空間に入り込んだ接着剤は、凹部５２Ｇに溜まる。図１４〜図１７のメッシュパターンは、第３領域ＳＰ３及び第４領域ＳＰ４のそれぞれに供給された接着剤を表し、ドットパターンは、第３領域ＳＰ３及び第４領域ＳＰ４のそれぞれから第２角対向部１２Ｃ２内の空間に入り込んだ接着剤を表している。
【００８７】
具体的には、第３領域ＳＰ３から第２角対向部１２Ｃ２内の空間に入り込んだ接着剤は、図１５（Ａ）の矢印ＡＲ１１で示すように、巻回部１３の第２短辺部３Ｅ２の内周面に沿って凹部５２Ｇ内を第４領域ＳＰ４に向かって流れる。同様に、第４領域ＳＰ４から第２角対向部１２Ｃ２内の空間に入り込んだ接着剤は、矢印ＡＲ１２で示すように、巻回部１３の第２短辺部３Ｅ２の内周面に沿って凹部５２Ｇ内を第３領域ＳＰ３に向かって流れる。本実施形態では、凹部５２Ｇの底面は、光軸方向ＪＤに垂直な平面となるように形成されている。但し、凹部５２Ｇの底面は、拡張部５２Ｒに向かって低くなるように傾斜していてもよい。
【００８８】
接着剤の供給量が所定量を上回る場合、第３領域ＳＰ３から第２角対向部１２Ｃ２内の空間に入り込んだ接着剤と、第４領域ＳＰ４から第２角対向部１２Ｃ２内の空間に入り込んだ接着剤とは、凹部５２Ｇ内で合流する。そして、接着剤の供給量が更に多い場合、第３領域ＳＰ３から第２角対向部１２Ｃ２内の空間に入り込んだ接着剤は、図１５（Ｂ）の矢印ＡＲ１３で示すように、拡張部５２Ｒ内に流れ込み、第４領域ＳＰ４から第２角対向部１２Ｃ２内の空間に入り込んだ接着剤は、矢印ＡＲ１４で示すように、拡張部５２Ｒ内に流れ込む。
【００８９】
接着剤の供給量が更に多い場合、第３領域ＳＰ３及び第４領域ＳＰ４のそれぞれから第２角対向部１２Ｃ２内の空間に入り込んだ接着剤は、図１５（Ｃ）の矢印ＡＲ１５で示すように、拡張部５２Ｒ内に拡がっていく。図１５（Ｃ）の状態は、図１４の状態に対応する。
【００９０】
接着剤の供給量が更に多い場合、第３領域ＳＰ３及び第４領域ＳＰ４のそれぞれから第２角対向部１２Ｃ２内の空間に入り込んだ接着剤は、図１５（Ｄ）に示すように、拡張部５２Ｒの全域に拡がる。
【００９１】
このように、第２角対向部１２Ｃ２内の空間に入り込む接着剤の量は、第３領域ＳＰ３に供給された接着剤の量、第４領域ＳＰ４に供給された接着剤の量、及び、第２突出部ＰＴ２の外側の端面と巻回部１３の第２短辺部３Ｅ２の内周面との間の隙間の大きさ等に応じて変化する。
【００９２】
そのため、レンズ駆動装置１０１の組み立てを行う作業者は、第２角対向部１２Ｃ２における凹部５２Ｇ内に溜まった接着剤の状態を視認することで、接着剤が適切に供給されたか否かを確認できる。具体的には、作業者は、第３領域ＳＰ３に供給された接着剤の量が適切であるか否か、及び、第４領域ＳＰ４に供給された接着剤の量が適切であるか否か等を確認できる。或いは、作業者は、第２突出部ＰＴ２の外側の端面と巻回部１３の第２短辺部３Ｅ２の内周面との間の隙間の大きさが適切であるか否か、すなわち、レンズ保持部材２の周囲に巻回部１３が適切に配置されているか否かを確認することができる。なお、第２角対向部１２Ｃ２内の空間に入り込む接着剤の量は、これらの隙間が大きいほど多くなる。
【００９３】
ここで、図１６を参照し、角対向部１２Ｃ内の空間に入り込む接着剤の量、すなわち凹部５２Ｇ内に溜まる接着剤の量と、領域ＳＰに供給される接着剤の量との関係について説明する。図１６は、巻回部１３を透過的に表現することで、巻回部１３の内周面に付着した接着剤の状態を示している。図１６の状態は、図１５（Ｃ）の状態に対応する。
【００９４】
典型的には、凹部５２Ｇ内に溜まる接着剤の量は、第３領域ＳＰ３内に供給された接着剤の液面が高いほど多くなり、第４領域ＳＰ４内に供給された接着剤の液面が高いほど多くなる。したがって、作業者は、凹部５２Ｇ内に溜まった接着剤の状態を視認することで、接着剤の液面の高さが適切な高さになるまで接着剤が第３領域ＳＰ３及び第４領域ＳＰ４のそれぞれに供給されたか否かを間接的に確認できる。
【００９５】
なお、本実施形態では、凹部５２Ｇは、図１６に示すように、その外縁がコイル３の巻回部１３の下面よりも僅かに（３０〜１００μｍ程度）下側（Ｚ２側）に位置するように構成されている。すなわち、凹部５２Ｇは、巻回部１３がレンズ保持部材２の周囲に装着されたときに、巻回部１３の下面よりも下側において、凹部５２Ｇによって区切られた開口が形成されるように構成されている。このような構成であっても、凹部５２Ｇに溜まった接着剤は、その粘度及び表面張力により、下方に漏れ出すことはない。但し、凹部５２Ｇは、その外縁がコイル３の巻回部１３の下面よりも上側（Ｚ１側）に位置するように構成されていてもよい。すなわち、凹部５２Ｇは、巻回部１３がレンズ保持部材２の周囲に装着されたときに、巻回部１３の下面よりも下側において、凹部５２Ｇによって区切られた開口が形成されないように構成されていてもよい。具体的には、凹部５２Ｇは、その外側が巻回部１３によって完全に覆われるように構成されていてもよい。
【００９６】
次に、図１７を参照し、角対向部１２Ｃの構成例の詳細について説明する。図１７は、コイル３及び上側板ばね１６が取り付けられ且つ磁石５に対向するように配置されたレンズ保持部材２の角対向部１２Ｃの上面図であり、図１４に対応する。図１７における接着剤の状態は、図１５（Ｄ）の状態に対応する。図１８は、図３（Ａ）の一点鎖線で示す線分Ｌ１と光軸とを含む平面を矢印で示す方向から見たときのレンズ駆動装置１０１の断面を示す。
【００９７】
図１７に示すように、一対の第２突出部ＰＴ２（左第２突出部ＰＴ２Ｌと右第２突出部ＰＴ２Ｒ）は、幅Ｗ１の間隔を空けて配置されている。一対の第２突出部ＰＴ２の内側の幅Ｗ１は、破線で示すヨーク４の第２内周壁部４Ｆ２の幅Ｗ２より大きい。そのため、レンズ保持部材２（一対の第２突出部ＰＴ２）は、図１７及び図１８に示すように、第２内周壁部４Ｆ２と接触しない状態で、上側板ばね１６及び下側板ばね２６によって支持される。
【００９８】
本実施形態では、第２内周壁部４Ｆ２の下端面は、図１８に示すように、第２突出部ＰＴ２の上端面よりも低い位置にあり、且つ、巻回部１３の第２短辺部３Ｅ２の上端面よりも低い位置にある。
【００９９】
第２内周壁部４Ｆ２は、落下等により強い衝撃がレンズ駆動装置１０１に加えられた際には、左第２突出部ＰＴ２Ｌ又は右第２突出部ＰＴ２Ｒと接触し、レンズ保持部材２が過度に動いてしまうのを防止する。第２内周壁部４Ｆ２と右第２突出部ＰＴ２Ｒとが接触した場合、第３領域ＳＰ３内で硬化した接着剤は、その接触による衝撃を吸収することができる。接着剤は、右第２突出部ＰＴ２Ｒよりも低い弾性率を有し弾性変形し易いためである。同様に、第２内周壁部４Ｆ２と左第２突出部ＰＴ２Ｌとが接触した場合、第４領域ＳＰ４内で硬化した接着剤は、その接触による衝撃を吸収することができる。
【０１００】
図１７に示すように、一対の第２突出部ＰＴ２（左第２突出部ＰＴ２Ｌと右第２突出部ＰＴ２Ｒ）は、幅Ｗ３内に収まるように配置されている。幅Ｗ３は、巻回部１３の第２短辺部３Ｅ２に対向する第２磁石５Ｂの対向面の幅Ｗ４内に含まれている。また、幅Ｗ４は、第２短辺部３Ｅ２の幅Ｗ５内に含まれている。幅Ｗ５は、第１長辺部３Ａ１と第２短辺部３Ｅ２との間の折り曲げ部と、第２短辺部３Ｅ２と第２長辺部３Ａ２との間の折り曲げ部との間の幅である。そのため、一対の第２突出部ＰＴ２（左第２突出部ＰＴ２Ｌと右第２突出部ＰＴ２Ｒ）の外側の幅Ｗ３は、対応する２つの折り曲げ部の間の幅である、第２短辺部３Ｅ２の幅Ｗ５内に含まれている。但し、幅Ｗ３は、幅Ｗ４より大きくてもよい。
【０１０１】
上述のように、本発明の実施形態に係るレンズ駆動装置１０１は、４つの側板部４Ａ及び４つの角部４Ｅを含む外周壁部４Ｇと天井部４Ｂとを有するカバー部材としてのヨーク４と、ヨーク４内に収容され、レンズ体を保持可能なレンズ保持部材２と、レンズ保持部材２に固定されたコイル３と、コイル３に対向する磁石５と、レンズ保持部材２を光軸方向へ移動可能に支持する支持部材としての板ばね６と、を備えている。レンズ保持部材２は、４つの角部４Ｅに対向する４つの角対向部１２Ｃと、４つの側板部４Ａに対向する４つの側板対向部１２Ｓとを有する。４つの角対向部１２Ｃのそれぞれは、レンズ保持部材２の筒状部１２から外側へ突出する一対の突出部ＰＴを含む。コイル３は、４つの角対向部１２Ｃと４つの側板対向部１２Ｓとを囲むように配置されている。突出部ＰＴの１つと側板対向部１２Ｓの１つとコイル３とで囲まれた空間である領域ＳＰには接着剤が配置されている。この構成により、レンズ駆動装置１０１は、レンズ保持部材２とコイル３との間の接着性を高めることができる。すなわち、レンズ保持部材２とコイル３とをより確実に接着固定できる。コイル３の巻回部１３の内周面のうち、接着剤が付着する部分の面積を大きくすることができるためである。
【０１０２】
ヨーク４は、望ましくは、４つの角部４Ｅのそれぞれの内側に位置する４つの内周壁部４Ｆを有する。この場合、４つの内周壁部４Ｆのそれぞれは、対応する一対の突出部ＰＴの間に配置される。例えば図１７に示すように、第２内周壁部４Ｆ２は、対応する一対の第２突出部ＰＴ２の間、すなわち、左第２突出部ＰＴ２Ｌと右第２突出部ＰＴ２Ｒとの間に配置されている。この構成により、レンズ駆動装置１０１は、落下等により強い衝撃が加えられた場合であっても、ストッパとして機能する内周壁部４Ｆに突出部ＰＴを接触させることができる。そのため、レンズ駆動装置１０１は、レンズ保持部材２が過度に移動してしまうのを防止できる。
【０１０３】
また、領域ＳＰに供給され且つ硬化された接着剤は、突出部ＰＴに接している。具体的には、図１４に示すように、第３領域ＳＰ３に供給され且つ硬化された接着剤は、右第２突出部ＰＴ２Ｒと接している。そのため、接着剤は、衝撃等に起因する突出部ＰＴの振動を吸収できる。その結果、接着剤は、内周壁部４Ｆに突出部ＰＴが衝突したときに発生する音を抑制できる。或いは、接着剤は、内周壁部４Ｆに突出部ＰＴが衝突したときの突出部ＰＴの破損を抑制或いは防止できる。
【０１０４】
レンズ保持部材２は、望ましくは、領域ＳＰの下面を構成する第１部分としての幅狭部分５２Ｐを含むフランジ部５２を有する。この構成により、レンズ保持部材２は、接着剤が供給される領域ＳＰの下面をフランジ部５２の幅狭部分５２Ｐで区切ることができる。そのため、レンズ保持部材２は、領域ＳＰの下面を通じて接着剤が外部に流れ出すのを防止できる。
【０１０５】
フランジ部５２は、望ましくは、４つの角対向部１２Ｃのそれぞれの下面を構成する４つの第２部分としての４つの幅広部分５２Ｃを含む。この場合、４つの幅広部分５２Ｃのそれぞれには、コイル３の内面に沿って凹部５２Ｇが形成されている。この構成により、凹部５２Ｇは、領域ＳＰ内に供給された後で突出部ＰＴの外側の端面とコイル３の巻回部１３の内周面との間の隙間を通って角対向部１２Ｃに入り込んだ接着剤を溜めることができる。作業者は、凹部５２Ｇにおける接着剤の量を視認することで、領域ＳＰにおける接着剤の量を間接的に確認することができる。
【０１０６】
凹部５２Ｇは、望ましくは、レンズ保持部材２の筒状部１２の側へ拡がる拡張部５２Ｒを有する。この構成により、凹部５２Ｇは、受け入れ可能な接着剤の量を増大させることができる。
【０１０７】
凹部５２Ｇの拡張部５２Ｒ内には、成形工程でレンズ保持部材２を金型から取り出す際に使用されるエジェクタピンの痕が形成されていてもよい。すなわち、拡張部５２Ｒは、エジェクタピンの先端が接触する接触面として機能するように構成されていてもよい。この構成により、レンズ保持部材２は、エジェクタピンの先端が接触する接触面を適切な位置に提供できる。本実施形態では、拡張部５２Ｒの輪郭は、略円形であるが、楕円形、矩形又は多角形等の他の形状であってもよい。
【０１０８】
コイル３は、望ましくは、八角形状をなしており、８つの折り曲げ部を含む。この場合、一対の突出部ＰＴの間の幅は、対応する２つの折り曲げ部の間の幅内に含まれている。具体的には、コイル３の巻回部１３は、図１に示すように、八角環状をなしている。そして、一対の第２突出部ＰＴ２の外側の幅Ｗ３は、図１７に示すように、対応する２つの折り曲げ部の間の幅である、巻回部１３の第２短辺部３Ｅ２の幅Ｗ５内に含まれている。この構成により、突出部ＰＴは、磁石５と対向する短辺部３Ｅの内周面を適切に支持できる。具体的には、突出部ＰＴは、磁石５の対向面に対して短辺部３Ｅの外周面が平行となるように、短辺部３Ｅの内周面を適切に支持できる。
【０１０９】
本発明の実施形態に係るレンズ駆動装置１０１の製造方法は、コイル３がレンズ保持部材２における４つの角対向部１２Ｃと４つの側板対向部１２Ｓとを囲むようにコイル３をレンズ保持部材２の周囲に装着する装着工程と、突出部ＰＴの１つと側板対向部１２Ｓの１つとコイル３とで囲まれた空間である領域ＳＰに接着剤を充填する充填工程と、接着剤を硬化させてコイル３をレンズ保持部材２に固定する固定工程と、を有する。この製造方法は、レンズ保持部材２とコイル３との間の接着性が高められたレンズ駆動装置１０１をもたらすことができる。コイル３の巻回部１３の内周面のうち、接着剤が付着する部分の面積を大きくすることができるためである。また、多量の接着剤が領域ＳＰ内に充填され得るためである。更に、この製造方法は、接着剤の充填し易さを高めることができる。接着剤が充填される領域ＳＰの開口を大きくできるためである。
【０１１０】
フランジ部５２は、望ましくは、４つの角対向部１２Ｃのそれぞれの下面を構成する４つの幅広部分５２Ｃを含む。そして、４つの幅広部分５２Ｃのそれぞれには、コイル３の内面に沿って凹部５２Ｇが形成されている。この場合、上記製造方法は、充填工程の後に、領域ＳＰに充填された接着剤の一部を凹部５２Ｇに流す工程を有する。領域ＳＰに充填された接着剤は、例えば、充填中及びその後の加熱中に凹部５２Ｇに流れ込む。この製造方法では、領域ＳＰ内に充填された後で突出部ＰＴの外側の端面と短辺部３Ｅの内周面との間の隙間を通って流れる接着剤は、凹部５２Ｇに溜められる。そのため、作業者は、凹部５２Ｇに溜まった接着剤の状態を視認することで、接着剤が領域ＳＰ内に適切に充填されたか否かを間接的に確認できる。この場合、作業者は、領域ＳＰ内に充填された接着剤の量が適切であるか否かを確認するために、抜き取りでの剥離検査等を実施する必要がない。
【０１１１】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１１２】
例えば、上記実施形態では、保持部７２がレンズ保持部材２の一端部から光軸方向ＪＤに突出する突出部から構成されているが、本発明は、この構成に限定されない。突出部としての保持部７２は、例えば、光軸方向ＪＤに垂直な方向、又は、光軸方向ＪＤに対して傾斜した方向等、光軸方向ＪＤとは異なる方向に突出していてもよい。
【０１１３】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【０１１４】
また、上記実施形態では、ヨーク４とベース部材１８とで構成される筐体は、レンズ保持部材２の全体を収容している。但し、レンズ保持部材２の一部（例えば上部）は、筐体（ヨーク４）から外部に露出していてもよい。
【０１１５】
また、上記実施形態では、４つの磁石５は、ヨーク４の４つの角部４Ｅと対向するように配置されている。しかしながら、４つの磁石５は、図１９に示すように、ヨーク４の４つの側板部４Ａと対向するように配置されていてもよい。具体的には、４つの磁石５は、第１磁石５Ａ〜第４磁石５Ｄを含む。４つの磁石５のそれぞれは、図１９に示すように、直方体形状を有していてもよい。そして、４つの磁石５は、コイル３の外側に位置するように、且つ、レンズ保持部材２の筒状部１２を構成する４つの側板対向部１２Ｓのそれぞれに対向するように、且つ、コイル３の巻回部１３を構成する４つの長辺部３Ａのそれぞれに対向するように、且つ、ヨーク４の外周壁部４Ｇを構成する４つの側板部４Ａのそれぞれに対向するように配置されていてもよい。そして、接着剤により、外周壁部４Ｇの内面に固定されていてもよい。また、磁石５は、例えば、内側がＮ極、外側がＳ極となるように配置されていてもよい。
【符号の説明】
【０１１６】
２・・・レンズ保持部材  ２ｔ・・・突設部  ３・・・コイル  ３Ａ・・・長辺部  ３Ｅ・・・短辺部  ４・・・ヨーク  ４Ａ・・・側板部  ４Ｂ・・・天井部  ４Ｃ・・・天井角部  ４Ｄ・・・天井中央部  ４Ｅ・・・角部  ４Ｆ・・・内周壁部  ４Ｇ・・・外周壁部  ４ｋ・・・開口  ４ｓ・・・収納部  ５・・・磁石  ６・・・板ばね  ７、７Ａ、７Ｂ・・・端子  １２・・・筒状部  １２Ｃ・・・角対向部  １２ｄ・・・台座部  １２ｄｈ・・・窪み  １２ｊ・・・コイル支持部  １２Ｓ・・・側板対向部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６、２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部  ２６ｑ・・・第２連結部  ２６ｔ・・・貫通部  ２６ｘ・・・壁端面  ３３、３３Ａ、３３Ｂ・・・延在部  ３３ｃ・・・接続部  ３３ｋ・・・挿通部  ３３ｍ・・・巻き付け部  ５２・・・フランジ部  ５２ｋ・・・切欠部  ５２Ｃ・・・幅広部分  ５２Ｇ・・・凹部  ５２Ｐ・・・幅狭部分  ５２Ｒ・・・拡張部  ５２Ｓ・・・凸部  ５７・・・接続部材  ７２、７２Ａ、７２Ｂ・・・保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＣＡ・・・導電性接着剤  ＪＤ・・・光軸方向  ＭＫ・・・駆動機構  ＰＴ・・・突出部  ＲＧ・・・固定側部材  ＳＰ・・・領域
【図１】
2020052238.tif 000003
【図２】
2020052238.tif 000004
【図３】
2020052238.tif 000005
【図４】
2020052238.tif 000006
【図５】
2020052238.tif 000007
【図６】
2020052238.tif 000008
【図７】
2020052238.tif 000009
【図８】
2020052238.tif 000010
【図９】
2020052238.tif 000011
【図１０】
2020052238.tif 000012
【図１１】
2020052238.tif 000013
【図１２】
2020052238.tif 000014
【図１３】
2020052238.tif 000015
【図１４】
2020052238.tif 000016
【図１５】
2020052238.tif 000017
【図１６】
2020052238.tif 000018
【図１７】
2020052238.tif 000019
【図１８】
2020052238.tif 000020
【図１９】
2020052238.tif 000021